(57)【要約】【課題】コネクタと接続する電線を簡単に横だし規制できる配線方向規制具を提供する。【解決手段】コネクタの端子収容室に設けられた端子係止部に係止される形状とした係止部を一端側に設けた挿入棒部１０と、前記端子収容室の挿入側開口から突出する前記挿入棒部の他端から一方向へ屈折させたワイヤハーネス固定部１１とを備えた樹脂成形品からなり、前記挿入棒部がコネクタの空き端子収容室内に挿入係止された状態で、前記ワイヤハーネス固定部は前記端子収容室の挿入側開口と空間をあけて配置され、前記コネクタの端子収容室から引き出されると共に屈折させた電線群が前記ワイヤハーネス固定部に粘着テープで巻き付け固定され、または締結バンドで締結固定されるものとしている。【選択図】図４
2011040264.tif 000002
【特許請求の範囲】
【請求項１】
コネクタの端子収容室に設けられた端子係止部に係止される形状とした係止部を一端側に設けた挿入棒部と、前記端子収容室の挿入側開口から突出する前記挿入棒部の他端から一方向へ屈折させたワイヤハーネス固定部とを備えた樹脂成形品からなり、
前記挿入棒部がコネクタの空き端子収容室内に挿入係止された状態で、前記ワイヤハーネス固定部は前記端子収容室の挿入側開口と空間をあけて配置され、
前記コネクタの端子収容室から引き出されると共に屈折させた電線群が前記ワイヤハーネス固定部に粘着テープで巻き付け固定され、または締結バンドで締結固定されるものとしている配線方向規制具。
【請求項２】
前記挿入棒部を少なくとも１本備え、該挿入棒部の前記他端から屈折して延在するワイヤハーネス固定部を備え、全体形状をＬ形状としている請求項１に記載の配線方向規制具。
【請求項３】
コネクタの左右両端の空き端子収容室内に挿入する左右一対の挿入棒部を備えると共に、前記ワイヤハーネス固定部は前記左右一対の挿入棒部の前記他端と連結する連結部を延在させて設け、該連結部に電線群挿通凹部を設けている請求項１に記載の配線方向規制具。
【請求項４】
前記挿入棒部を上下左右に４本備え、上下２段のコネクタへ左右両端の上下の空き端子収容室内に挿入係止し、これら４本の挿入棒部の他端に連結する連結部を前記ワイヤハーネス固定部に延在して設け、前記連結部に電線群挿通凹部を設けている請求項１に記載の配線方向規制具。
【請求項５】
電線の横曲げ方向と反対側の一方の上下に位置する前記挿入棒部と連結した前記ワイヤハーネス固定部からなる第一部材と、横曲げ方向側の他方の上下に位置する前記挿入棒部と連結した前記ワイヤハーネス固定部からなる第二部材を設け、第一部材のワイヤハーネス固定部に対して第二部材のワイヤハーネス固定部をスライド自在に嵌合させる嵌合部を設けている請求項４に記載の配線方向規制具。
【発明の詳細な説明】
【技術分野】
【０００１】
本発明は、コネクタに接続した電線を横出し方向に規制する配線方向規制具に関するものであり、特に、自動車に配索されるワイヤハーネスをコネクタから横出しする場合に好適に用いられるものである。
【背景技術】
【０００２】
自動車に配索される電線群の集束体からなるワイヤハーネスは、自動車に搭載される部品との干渉を避けて配線する必要があるため、図１０（Ａ）に示すように、コネクタ１００から引き出された後に横曲げして周辺部材２００と接触させないようにしている場合が多い。
この場合、図１０に示すように、コネクタ１００の端子挿入口１０１から引き出した電線群１０２を横曲げし、横曲げした電線群１０２が横曲げ方向で平行状態となる位置でクランプ１０３を取り付け、該クランプ１０３を車体パネルＰ等に係止している。
【０００３】
前記のように、コネクタ１００から引き出される電線群１０２を横曲げすると、電線端末に圧着した端子金具に引っ張り負荷がかかり、該端子金具とコネクタ内で嵌合する相手方の端子金具との嵌合に影響を与え、電気接続信頼性が低下する問題がある。そのため、前記のように、横出しした電線群にクランプ１０３を取り付け、該クランプ１０３を車体パネルに固定することにより、コネクタ１００から横出しされたワイヤハーネスの電線群に過剰な引っ張り負荷が作用しないようにしている。
【０００４】
しかしながら、クランプ１０３の取付位置は車両条件により、コネクタ１００から離れた位置になる場合もある。クランプ１０３がコネクタ１００から離れた位置に取り付けられると、コネクタから引き出された後に横方向に屈曲されるワイヤハーネスの外周側の電線が膨らみやすくなり、コネクタとワイヤハーネスの外周間の寸法Ｌに大きなバラツキが発生しやすく、周辺部材２００と干渉する恐れがある。
また、コネクタ１００から引き出された電線群を横曲げ固定するためにクランプ１０３が必要となり、クランプ点数が増加し、該クランプをワイヤハーネスに取り付ける作業手数、該クランプを車体に取り付ける作業が増えてコスト高になる問題がある。
【０００５】
また、電線群を横出しするコネクタとして、本出願人は実開平６−１１２６９号で図１１（Ａ）（Ｂ）に示すコネクタ１１０を提供している。
該コネクタ１１０は、コネクタハウンジグ１１１の端子挿入側面に、電線群１０２を囲む筒状のガイド部材１１２を連結ピン１１３を介して連結し、図１１（Ｂ）に示すようにガイド部材１１２を回転させて横向きとし、電線群１０２を横曲げしている。    
【０００６】
前記コネクタ１１０では、ガイド部材１１２を回転させることにより電線群１０２を強制的に横曲げし、横曲げ姿勢で電線群を安定させることができる利点を有しているが、コネクタ１１０から引き出される電線群をガイド部材１１２で一方向にしか横曲げできない問題がある。かつ、ガイド部材１１２により電線が屈曲されることにより、電線端末の端子金具に負荷がかかり易く、コネクタを介して接続する相手型端子金具の電気接続信頼性が低下する恐れがある。また、コネクタ１１０から引き出される電線群のうち、一部の電線群を他の方向に横曲げすることができない問題もある。
さらに、ガイド部材１１２をコネクタ１１０に予め取り付け、ガイド部材に電線を通した後に、コネクタ１１０の端子挿入口から電線端末の端子を端子収容室に挿入しているため、コネクタへの端子挿入作業がやりにくくなる問題もある。
【先行技術文献】
【特許文献】
【０００７】
【特許文献１】実開平６−１１２６９号公報
【発明の概要】
【発明が解決しようとする課題】
【０００８】
本発明は前記問題に鑑みてなされたもので、クランプを用いずに、コネクタから引き出される電線を任意の曲げ方向に規制し、かつ、コネクタの端子挿入側端面から横曲げされる電線群の外周までの寸法を安定化できる配線方向規制具を提供することを課題としている。
【課題を解決するための手段】
【０００９】
前記課題を解決するため、本発明は、コネクタの端子収容室に設けられた端子係止部に係止される形状とした係止部を一端側に設けた挿入棒部と、前記端子収容室の挿入側開口から突出する前記挿入棒部の他端から一方向へ屈折させたワイヤハーネス固定部とを備えた樹脂成形品からなり、
前記挿入棒部がコネクタの空き端子収容室内に挿入係止された状態で、前記ワイヤハーネス固定部は前記端子収容室の挿入側開口と空間をあけて配置され、
前記コネクタの端子収容室から引き出されると共に屈折させた電線群が前記ワイヤハーネス固定部に粘着テープで巻き付け固定され、または締結バンドで締結固定されるものとしている配線方向規制具を提供している。
【００１０】
前記配線方向規制具を用いて横曲げする電線と接続するコネクタは、端子収容室のうち少なくともワイヤハーネスの曲げ方向側の最先端の端子収容室を空き端子収容室（所謂、空きキャビテイ）として、配線方向規制具の挿入棒部を端子収容室内に設けられている端子係止部（所謂、ランス）に挿入係止して取り付けている。
コネクタと接続するワイヤハーネスの各電線は、該電線端末に接続した端子をコネクタの端子収容室内に挿入し、端子係止部と係止して端子収容室の挿入側開口から引き出し、引き出した電線を電線群挿通凹部を通して配線方向規制具より外方へ引き出し、ついで、電線を横曲げしてワイヤハーネス固定部の外面に前記のように粘着テープまたは締結バンドを巻き付けて固定している。
【００１１】
前記のように、配線方向規制具を用いると、コネクタ側には空き端子収容室を設けるだけでよく、該配線方向規制具に横曲げした電線群を粘着テープまたは締結バンドで巻き付けて横曲げ姿勢に保持することができる。よって、車体係止用のクランプを用いて電線の横曲げを保持する必要はなく、クランプを用いない点でコスト低下を図ることができる。
かつ、コネクタの端子収容室から引き出した電線群を端子収容室の引き出し位置に近接した位置で前記ワイヤハーネス固定部で固定でき、横曲げした電線群の外周が膨らむことはなく電線群がばらけることなくワイヤハーネス固定部に固定できる。かつ、挿入棒部が端子収容室内から突出した寸法分だけ電線は端子収容室から引き出し方向に配線され、挿入棒部の先端位置で横曲げされる。電線端末の端子に負荷される横曲げによる引張力を低減でき、電線端末の端子と相手方端子との接続信頼性を高めることができる。
前記挿入棒部がコネクタの端子収容室の挿入側開口から突出する寸法は２ｍｍ〜１５ｍｍ程度とすることが好ましい。
【００１２】
本発明の配線方向規制具は、前記挿入棒部を少なくとも１本備え、該挿入棒部の前記他端から屈折して延在するワイヤハーネス固定部を備え、全体形状をＬ形状としてもよい。
前記配線方向規制具を挿入棒部を１つとしてＬ形状とした場合、挿入棒部を曲げ方向の先端に位置する端子収容室を空き端子収容室として挿入棒部を挿入係止する。
コネクタが多段の場合には、複数の前記Ｌ形状とした配線方向規制具を用い、各段の空き端子挿入室に挿入係止し、ワイヤハーネス固定部を上下に連続させて、該ワイヤハーネス固定部にワイヤハーネスを粘着テープまたは締結バンドで固定する。このように、コネクタの段数が相違しても対応して配線方向規制具を用いることができる。
【００１３】
前記配線方向規制具は、コネクタの左右両端の空き端子収容室内に挿入する左右一対の挿入棒部を備えると共に、前記ワイヤハーネス固定部は前記左右一対の挿入棒部の先端と連結する連結部を延在させて設け、該連結部に電線群挿通凹部を設けた形状としてもよい。
【００１４】
前記配線方向規制具では、コネクタから引き出された電線群は前記電線群挿通凹部を通し、前記連結部から横曲げしてワイヤハーネス固定部の外面に沿わせ、前記粘着テープまたは締結バンドで電線群を固定している。
該配線方向規制具では、左右一対の挿入棒部をコネクタの左右両端の空き端子収容室内に挿入係止するため、配線方向規制具をコネクタに安定姿勢で取り付けることができる。
【００１５】
さらに、前記挿入棒部を上下左右に４本備え、上下２段のコネクタへ左右両端の上下の空き端子収容室内に挿入係止し、これら４本の挿入棒部の他端に連結する前記連結部を前記ワイヤハーネス固定部に延在して設け、前記連結部に前記電線群挿通凹部を設けてもよい。
このように、上下２段の端子収容室を有するコネクタに対して、４隅の空き端子収容室内にそれぞれ挿入棒部を挿入係止すると、配線方向規制具を安定して取り付けることができる。
【００１６】
また、横曲げ方向と反対側の一方の挿入棒部と連結したワイヤハーネス固定部からなる第一部材と、横曲げ方向側の他方の挿入棒部と連結したワイヤハーネス固定部からなる第二部材を設け、第一部材のワイヤハーネス固定部に対して第二部材のワイヤハーネス固定部をスライド自在に接合させることが好ましい。
前記構成とすると、コネクタの極数に応じて第一部材に対して第二部材をスライドさせることで対応でき、配線方向規制具の汎用性を高めることができる。
【発明の効果】
【００１７】
前記構成からなる本発明の配線方向規制具は、コネクタの空き端子収容室に挿入し、端子収容室に設けられている端子係止部に挿入棒部に設けている係止部を係止して取り付けているだけであるため、コネクタに挿入棒部を挿入係止する空き端子収容室を設けるだけでよい。
また、前記挿入棒部の突出端に連結して曲げ方向に延在するワイヤハーネス固定部の外面側にコネクタから引き出された電線群を粘着テープまたは締結バンドを巻き付けて固定するため、従来必要とされたクランプを電線群に取り付け、該クランプを車体に係止して電線群の横曲げを保持する必要はない。
さらに、コネクタから引き出された電線群は挿入棒部のコネクタからの突出量だけ真っすぐに配線されるため、横曲げによる負荷が電線端末の端子に直接的に作用せず、コネクタでの電気接続信頼性を高めることができる。
【図面の簡単な説明】
【００１８】
【図１】本発明の第一実施形態を示す斜視図である。
【図２】（Ａ）は第一実施形態の配線方向規制具の底面図、（Ｂ）は正面図、（Ｃ）は側面図である。
【図３】コネクタの端子収容室の断面図であり、（Ａ）は電線端末の端子を挿入係止している状態を示す断面図、（Ｂ）は配線方向規制具の挿入棒部を挿入係止している状態を示す断面図である。
【図４】コネクタに配線方向規制具を取り付けて電線群を横曲げ固定している状態を示す図面で、（Ａ）は斜視図、（Ｂ）は断面図、（Ｃ）はコネクタの端子収容室に挿入する電線と挿入棒部とを示す説明図である。
【図５】第二実施形態の配線方向規制具を示し、（Ａ）（Ｂ）はスライドさせた状態を示す平面図である。
【図６】（Ａ）（Ｂ）は第二実施形態の配線方向規制具をスライドさせた時のコネクタへの挿入棒部の位置を示す図面である。
【図７】第三実施形態の配線方向規制具を示し、（Ａ）は斜視図、（Ｂ）はコネクタに取り付けた状態の斜視図である。
【図８】第三実施形態の他の使用例を示す概略図である。
【図９】第四実施形態を示し、（Ａ）は斜視図、（Ｂ）はコネクタに取り付けた状態の概略図である。
【図１０】従来例を示し、（Ａ）は概略配置図、（Ｂ）は斜視図である。
【図１１】（Ａ）（Ｂ）は他の従来例の斜視図である。
【発明を実施するための形態】
【００１９】
以下、本発明の実施形態を図面を参照して説明する。
図１乃至図４に第一実施形態を示す。
図１において、１は本発明に係わる配線方向規制具であり、該配線方向規制具１はコネクタ２に接続する複数の電線３（図３に示す）を一括して横曲げ規制して固定するものである。
【００２０】
前記コネクタ２は端子収容室５を上下２段で、各列に４個あり、合計８個の端子収容室５を有するコネクタである。図２（Ａ）に示すように、各端子収容室５の底面に電線３の端末に圧着する端子６に設けた係止溝６ａに挿入係止するランス７（端子係止部）を備えている。
前記コネクタ２は電気接続箱あるいは電子制御ユニットのケースの外面に設けたコネクタ収容部に嵌合接続されるコネクタである。
尚、コネクタ２の極数およびコネクタ２の相手型コネクタは前記電気接続箱等に嵌合されるコネクタに限定されない。
【００２１】
配線方向規制具１は樹脂成形品からなり、４本の挿入棒部１０（１０Ａ〜１０Ｄ）と、該挿入棒部１０の一端に連結するワイヤハーネス固定部１１とからなる。
４本の各挿入棒部１０はコネクタ２の端子収容室５に挿入できる寸法とした角棒形状とし、先端側の下面に前記ランス７が挿入係止する係止溝１２を設けている。図３（Ｂ）に示すように、挿入棒部１０の係止溝１２にランス７が係止した状態で、挿入棒部１０は端子収容室５の電線挿入側開口５ａから距離Ｌ１（約５ｍｍ程度）を突出させる長さとしている。
【００２２】
前記４本の挿入棒部１０（１０Ａ〜１０Ｄ）は図４（Ｃ）に示すように、コネクタ２の上下段の左右両端の端子収容室５Ａ〜５Ｄに挿入係止できるように間隔をあけて配置している。
よって、コネクタ２には中央の４つの端子収容室５に４本の電線３の端子６を挿入し、図３（Ａ）に示すように、端子６の底面に設けた係止溝６ａにランス７を係止している。
【００２３】
前記４本の挿入棒部１０の突出端はワイヤハーネス固定部１１の左側に設けた連結部１１ａから突設しており、ワイヤハーネス固定部１１は右側の挿入棒部１０Ｂ、１０Ｄとの連結側から電線群の横曲げ方向の右方向へと突出させている。該突出寸法Ｌ２は２０ｍｍ〜４０ｍｍ程度としている。
該ワイヤハーネス固定部１１は図中縦方向の平板からなり、前記連結部１１ａには上端から切り込んだ電線群挿通凹部１１ｂを設け、前記４本の電線３を挿通させるようにしている。
【００２４】
前記配線方向規制具１のコネクタ２への取り付け及び電線３への固定方法について説明する。
まず、コネクタ２の端子収容室５に電線３の端末の端子６を挿入し、ランス７で係止した後に、挿入側開口５ａから真っすぐに引き出しておく。
ついで、配線方向規制具１の４本の挿入棒部１０をコネクタの空き端子収容室５Ａ〜５Ｄに挿入し、係止溝１２にランス７を係止する。
ついで、前記電線３をワイヤハーネス固定部１１の電線群挿通凹部１１ｂを通して外方へ引き出す。
ついで、引き出した４本の電線３を一括して右方向へ屈折させてワイヤハーネス固定部１１の外面１１ｃに沿わせて配線する。
最後に、ワイヤハーネス固定部１１と４本の電線３とに粘着テープ１３を巻き付けて、電線３の横曲げを固定する。
【００２５】
前記のように、配線方向規制具１を用いてコネクタ２から引き出される電線３を横曲げすると、挿入棒部１０の突出量Ｌ１の距離分だけ電線３はコネクタ２の端子収容室５から真っすぐに配線されるため、その後にワイヤハーネス固定部１１に沿って横曲げしても、電線３の端末に接続した端子６へ横曲げ負荷を直接的に作用させず、端子６と相手方端子（図示せず）との電気接続信頼性を保持できる。
また、横曲げした電線３をワイヤハーネス固定部にテープ巻きで固定するため、前記従来例で必要とされたクランプを用いる必要がない。
さらに、コネクタ２側には前記特許文献１に記載した横曲げ部材を設ける必要はなく、空き端子収容室を設けるだけでよく、端子収容室に設けられているランスを利用して配線方向規制具１を取り付けることができる。よって、横曲げが必要なコネクタへの共用品とすることができる。
【００２６】
なお、前記第一実施形態では、端子収容室５が上下２段のコネクタへ取り付ける配線方向規制具であるが、コネクタの端子収容室５が１段の場合は、配線方向規制具１の挿入棒部１０は左右の１０Ａと１０Ｂの２本としている。
また、第一実施形態では横曲げした電線群をワイヤハーネス固定部に粘着テープを巻き付けて固定しているが、粘着テープに変えて締結バンドを巻き付けて固定してもよい。その場合、ワイヤハーネス固定部の上下両端面に締結バンドを取り付ける切欠段部を設けておくことが好ましい。
【００２７】
図５および図６に第二実施形態の配線方向規制具１−１を示す。    
第二実施形態は、コネクタの極数が相違しても用いられるものとしており、配線方向規制具１−１は、第一実施形態の配線方向規制部１を分割して、第一部材２０と第二部材２１とから構成している。
【００２８】
第一部材２０は図６（Ａ）（Ｂ）に示す極数の異なるコネクタ２の左端の端子収容室５Ａ、５Ｃに挿入係止する挿入棒部１０Ａ、１０Ｃと、該挿入棒部１０Ａと１０Ｃの端部に連結する縦枠部２２ａと、縦枠部２２ａの下端から横方向に延在する横枠部２２ｂとからなるワイヤハーネス固定部２２とからなる。横枠部２２ｂの上面には横方向に間隔をあけて嵌合溝２２ｃを設けている。該嵌合溝２２ｃのピッチは端子収容室５のピッチと同等としている。
【００２９】
第二部材２１は曲げ方向の先端の端子収容室５Ｂ、５Ｄに挿入係止する挿入棒部１０Ｂ、１０Ｄと、該挿入棒部１０Ｂと１０Ｄの端部に連結するワイヤハーネス固定部２３とからなる。該ワイヤハーネス固定部２３の下面に沿って第一部材２０の嵌合溝２２ｃに嵌合する嵌合突起２３ａを嵌合溝２２ｃと同一ピッチで設けている。
尚、嵌合突起２３ａは１つでも良いが、第一部材２０との嵌合力を高めるためには、各嵌合溝２２ｃに嵌合突起２３ａを嵌合させることが好ましい。
【００３０】
前記第一部材２０と第二部材２１とからなる配線方向規制具１−１は、コネクタ２の極数が図６（Ｂ）に示すように多くなると、図５（Ｂ）に示すように、第一部材２０に対して第二部材２１を矢印方向にスライドさせて、嵌合溝２２ｃと嵌合突起２３ａの嵌合位置を変えることにより対応させることができる。
他の構成は第一実施形態と同様であり、嵌合溝２２ｃと嵌合突起２３ａを嵌合して接合した第一部材２０のワイヤハーネス固定部２２と第二部材２１のワイヤハーネス固定部２３とにコネクタから引き出した電線３を一括して沿わせて粘着テープで固定している。
このように、電線３とワイヤハーネス固定部２２、２３とに粘着テープを巻き付けると、ワイヤハーネス固定部２２と２３との接合力も高められる。
【００３１】
図７に第三実施形態を示す。
第三実施形態の配線方向規制具１−２は、図７（Ｂ）に示す端子収容室５が一段のコネクタ２に取り付けるもので、図７（Ａ）に示すように、１本の挿入棒部１０と、該挿入棒部１０の端部から屈折して延在するワイヤハーネス固定部１１とからなるＬ形状としている。
前記ワイヤハーネス固定部１１は締結バンド３０を取り付ける切欠段部１１ｆを設けており、一括して横曲げした電線３を締結バンド３０を用いてワイヤハーネス固定部１１に固定している。
【００３２】
前記一段用の配線方向規制具１−２を用いると、図８に示すように、コネクタ２の端子収容室５が３段等の複数段の場合、各段に配線方向規制具１−２を取り付け、横曲げした電線３を３つのワイヤハーネス固定部１１に粘着テープ１３を巻き付けて、電線３の横曲げを固定することができる。よって、コネクタの段数、および各段の極数が相違しても、汎用して用いることができる。
【００３３】
図９に第四実施形態を示す。
第四実施形態は上下二段のコネクタに取り付けるものとし、配線方向規制具１−３は、上下に配置する挿入棒部１０Ｂと１０Ｄとをワイヤハーネス固定部１１に連結しており、第三実施形態とは挿入棒部を上下２本設けている点が相違している。
該配線方向規制具１−３は図９（Ｂ）に示すように、挿入棒部１０Ｂと１０Ｄとを電線曲げ方向の先端の端子収容室５Ｂ、５Ｄに挿入係止して横曲げ方向にワイヤハーネス固定部１１を突出させている。コネクタ２から引き出した電線３は横曲げしてワイヤハーネス固定部１１に粘着テープ１３で巻き付け固定している。
【００３４】
前記第一〜第四実施形態では、いずれも挿入棒部に対してワイヤハーネス固定部を９０度曲げしているが、９０度曲げに限定されない。車両条件に応じてワイヤハーネス固定部を挿入棒部に対して９０度以下あるいは９０度以上に屈曲させてコネクタから引き出すワイヤハーネスを横曲げしてもよい。
【符号の説明】
【００３５】
１、１−１、１−２、１−３  配線方向規制具
２  コネクタ
３  電線
５  端子収容室  
６  端子
６ａ  係止溝
７  ランス（端子係止部）
１０（１０Ａ〜１０Ｄ）  挿入棒部
１１  ワイヤハーネス固定部
１１ａ  連結部
１１ｂ  電線群挿通凹部
１２  係止溝
１３  粘着テープ
３０  締結バンド
【図１】
2011040264.tif 000003
【図２】
2011040264.tif 000004
【図３】
2011040264.tif 000005
【図４】
2011040264.tif 000006
【図５】
2011040264.tif 000007
【図６】
2011040264.tif 000008
【図７】
2011040264.tif 000009
【図８】
2011040264.tif 000010
【図９】
2011040264.tif 000011
【図１０】
2011040264.tif 000012
【図１１】
2011040264.tif 000013